(57)【特許請求の範囲】
【請求項１】
予め設定されたコピー機能を呼び出す複数のＵＩ部品が円周上に配置されたテーブルの一部が表示されると共に、プレビュー画像が表示される画面を表示制御する表示制御手段と、
原稿の読み取りを制御し、該原稿の電子画像を生成する読取制御手段と、
各ＵＩ部品が配置された前記テーブルを回す第一操作、又は、前記複数のＵＩ部品が配置された前記テーブルをドラッグ又はフリックする第二操作を受け付ける操作受付手段と、
前記原稿が読み取られる前は予め設定された所定画像を用いて、前記原稿が読み取られた後は前記電子画像を用いて、前記第一操作により前記テーブルの所定位置に移動されたＵＩ部品が呼び出すコピー機能により前記プレビュー画像を生成する画像生成手段と、
前記画像生成手段により生成された前記プレビュー画像を用いて生成した前記画面を前記表示制御手段に出力する画面生成手段と、を有し、
前記第二操作を前記操作受付手段が受け付けた場合、前記表示制御手段は前記プレビュー画像に重畳して、前記テーブルの一部のＵＩ部品以外のＵＩ部品を含め、前記第二操作が行われる前よりも表示範囲が広くなった前記テーブルを前記画面に表示させる、画像処理装置。
【請求項２】
前記表示制御手段は、
ユーザにより前記所定位置にあるＵＩ部品が他のＵＩ部品に変更された場合、変更後のＵＩ部品を示す情報を前記画像生成手段に通知し、
前記画像生成手段は、
前記通知された情報が示すＵＩ部品に呼び出されるコピー機能により、前記所定画像又は前記電子画像の前記プレビュー画像を生成する請求項１記載の画像処理装置。
【請求項３】
前記画面にコピー機能の各設定項目が選択可能に表示される場合、
前記表示制御手段は、
前記設定項目がユーザにより選択されたとき、前記選択された設定項目を示す情報を前記画像生成手段に通知し、
前記画像生成手段は、
前記通知された情報が示す設定項目の設定値を用いて、前記所定画像又は前記電子画像の前記プレビュー画像を生成する請求項１又は２記載の画像処理装置。
【請求項４】
前記読取制御手段は、
複数枚の原稿の読み取りを制御して複数枚の電子画像を生成し、
前記画像生成手段は、
前記所定位置にあるＵＩ部品が両面コピーを含む機能である場合、両面であることが認識可能である前記プレビュー画像を生成する請求項１乃至３のいずれか一項に記載の画像処理装置。
【請求項５】
前記表示制御手段は、
前記所定位置にあるＵＩ部品が両面コピーを含む機能である場合、ユーザのドラッグ又はフリック操作に対応して、左右開き又は上下開きで前記プレビュー画像のページをめくる描画を制御する請求項４記載の画像処理装置。
【請求項６】
１つのＵＩ部品は複数のコピー機能を呼び出すものであり、
前記操作受付手段は、それぞれが１つのコピー機能を呼び出す複数のカスタム部品を前記画面に表示させる第三操作を受け付けるものであり、
前記複数のＵＩ部品のうち前記テーブルの一部のＵＩ部品が前記画面に表示されており、前記操作受付手段が前記第三操作を受け付けた場合、前記表示制御手段は、前記複数のカスタム部品をＵＩ部品とは異なる場所に表示し、
前記画像生成手段は、前記操作受付手段により選択が受け付けられた１つの前記カスタム部品により呼び出されるコピー機能により前記プレビュー画像を生成し、
前記操作受付手段が前記複数のカスタム部品を非表示にする制御を行うと、前記表示制御手段は、前記複数のカスタム部品を非表示に制御する請求項１に記載の画像処理装置。
【請求項７】
予め設定されたコピー機能を呼び出す複数のＵＩ部品が円周上に配置されたテーブルの一部が表示されると共に、プレビュー画像が表示される画面を表示制御する表示制御ステップと、
原稿の読み取りを制御し、該原稿の電子画像を生成する読取制御ステップと、
各ＵＩ部品が配置された前記テーブルを回す第一操作、又は、前記複数のＵＩ部品が配置された前記テーブルをドラッグ又はフリックする第二操作を受け付ける操作受付ステップと、
前記原稿が読み取られる前は予め設定された所定画像を用いて、前記原稿が読み取られた後は前記電子画像を用いて、前記第一操作により前記テーブルの所定位置に移動されたＵＩ部品が呼び出すコピー機能により前記プレビュー画像を生成する画像生成ステップと、
前記電子画像を用いて生成された前記プレビュー画像を含む前記画面を生成する画面生成ステップと、
前記第二操作が前記操作受付ステップで受け付けられた場合、前記プレビュー画像に重畳して、前記テーブルの一部のＵＩ部品以外のＵＩ部品を含め、前記第二操作が行われる前よりも表示範囲が広くなった前記テーブルを前記画面に表示させるステップと、をコンピュータに実行させるためのプログラム。
【発明の詳細な説明】
【技術分野】
【０００１】
本発明は、プレビュー画像を表示する画像処理装置及びプログラムに関する。
【背景技術】
【０００２】
近年、複合機は、多機能性が進歩し、複数のアプリケーション、例えば、コピー、スキャナ、ＦＡＸ、プリンタなどを搭載している。例えば、コピー機能については、原稿の種類や向きの原稿に関する設定、拡大率、縮小率、片面・両面、余白サイズなどの画像処理に関する設定、スタンプ押印処理、ステープル処理などの仕上げ処理に関する設定など複数の設定が存在する。
【０００３】
ユーザは、コピー機能を活用しようとした場合、所望のアウトプットを得るために、複数の設定の中から、ユーザが希望する機能を正しく設定して印刷実行ボタンを押す。このとき、ユーザが希望する機能を正しく設定できていない場合、印刷画像は印刷失敗となり、資源を無駄にしてしまう。
【０００４】
よって、ユーザは、印刷を実行する前に、現在の設定でのアウトプットを確認したいという要望がある。そこで、コピー印刷をする前に、読取った原稿の電子画像からプレビュー画像を生成し、ＵＩに表示する技術が知られている。例えば、特許文献１には、仕上がりの不具合を容易に判別するプレビュー画像を表示する技術が開示されている。
【発明の概要】
【発明が解決しようとする課題】
【０００５】
しかし、従来技術では、機能を設定する画面から機能を設定した後、プレビュー画面に遷移してプレビュー画面を確認するため、その機能を設定するとどういうアウトプットになるかをある程度知っているユーザでないと活用しないという操作上の問題がある。また、ユーザは、複数の機能を設定する場合、各機能を設定してプレビュー画像を見ることになり、ユーザ操作が煩雑である。
【０００６】
つまり、従来技術では、機能を設定してプレビュー画像を表示するまでの間に、ユーザにとって煩雑な操作を強いらせてしまうという問題点があった。
【０００７】
そこで、本発明は上記問題点に鑑みてなされたものであり、機能設定とプレビュー表示とに対して、ユーザビリティを向上させることができる画像処理装置及びプログラムを提供することを目的とする。
【課題を解決するための手段】
【０００８】
本発明の一態様の画像処理装置は、予め設定されたコピー機能を呼び出す複数のＵＩ部品が円周上に配置されたテーブルの一部が表示されると共に、プレビュー画像が表示される画面を表示制御する表示制御手段と、原稿の読み取りを制御し、該原稿の電子画像を生成する読取制御手段と、各ＵＩ部品が配置された前記テーブルを回す第一操作、又は、前記複数のＵＩ部品が配置された前記テーブルをドラッグ又はフリックする第二操作を受け付ける操作受付手段と、前記原稿が読み取られる前は予め設定された所定画像を用いて、前記原稿が読み取られた後は前記電子画像を用いて、前記第一操作により前記テーブルの所定位置に移動されたＵＩ部品が呼び出すコピー機能により前記プレビュー画像を生成する画像生成手段と、前記画像生成手段により生成された前記プレビュー画像を用いて生成した前記画面を前記表示制御手段に出力する画面生成手段と、を有し、前記第二操作を前記操作受付手段が受け付けた場合、前記表示制御手段は前記プレビュー画像に重畳して、前記テーブルの一部のＵＩ部品以外のＵＩ部品を含め、前記第二操作が行われる前よりも表示範囲が広くなった前記テーブルを前記画面に表示させる。
【０００９】
また、本発明の他の態様のプログラムは、予め設定されたコピー機能を呼び出す複数のＵＩ部品が円周上に配置されたテーブルの一部が表示されると共に、プレビュー画像が表示される画面を表示制御する表示制御ステップと、原稿の読み取りを制御し、該原稿の電子画像を生成する読取制御ステップと、各ＵＩ部品が配置された前記テーブルを回す第一操作、又は、前記複数のＵＩ部品が配置された前記テーブルをドラッグ又はフリックする第二操作を受け付ける操作受付ステップと、前記原稿が読み取られる前は予め設定された所定画像を用いて、前記原稿が読み取られた後は前記電子画像を用いて、前記第一操作により前記テーブルの所定位置に移動されたＵＩ部品が呼び出すコピー機能により前記プレビュー画像を生成する画像生成ステップと、前記電子画像を用いて生成された前記プレビュー画像を含む前記画面を生成する画面生成ステップと、前記第二操作が前記操作受付ステップで受け付けられた場合、前記プレビュー画像に重畳して、前記テーブルの一部のＵＩ部品以外のＵＩ部品を含め、前記第二操作が行われる前よりも表示範囲が広くなった前記テーブルを前記画面に表示させるステップと、をコンピュータに実行させる。
【発明の効果】
【００１０】
本発明によれば、機能設定とプレビュー表示とに対して、ユーザビリティを向上させることができる。
【図面の簡単な説明】
【００１１】
【図１】実施例における画像処理装置のハードウェアの一例を示す図。
【図２】実施例における画像処理装置の機能の一例を示すブロック図。
【図３】表示制御手段の機能の一例を示すブロック図。
【図４】コピー画面の画面情報の一例を示す図。
【図５】アイコン画像情報の一例を示す図。
【図６】プリセットされたコピー機能情報の一例を示す図。
【図７】カスタム情報の一例を示す図。
【図８】コピー画面の変化の概要を説明するための図。
【図９】コピー画面からの基本操作に関するコピー画面の一例を示す図。
【図１０】Ｐｏｒｔｒａｔｅ／ＬａｎｄＳｃａｐｅの設定における画面変化の一例を示す図。
【図１１】テーブル操作における画面変化の一例を示す図。
【図１２】プレビュー画像のページ確認（その１）の操作における画面変化の一例を示す図。
【図１３】プレビュー画像のページ確認（その２）の操作における画面変化の一例を示す図。
【図１４】プレビュー画像のページ確認（その３）の操作における画面変化の一例を示す図。
【図１５】カスタム設定の基本操作における画面変化の一例を示す図。
【図１６】カスタム設定におけるカラー変更した場合の画面変化の一例を示す図。
【図１７】カスタム設定における濃度変更した場合の画面変化の一例を示す図。
【図１８】カスタム設定における倍率を変更した場合の画面変化の一例を示す図。
【図１９】実施例におけるプレビュー画像を含む画面の表示処理の一例を示すフローチャート。
【発明を実施するための形態】
【００１２】
以下、本発明の実施例を図面に基づいて説明する。
［実施例］
＜ハードウェア＞
図１は、実施例における画像処理装置のハードウェアの一例を示す図である。図１に示す例では、画像処理装置１０は、コントローラ１１、スキャナ１２、プリンタ１３、モデム１４、操作パネル１５、ネットワークインタフェース１６、及びＳＤカードスロット１７等のハードウェアを有する。画像処理装置１０は、例えば複合機等である。
【００１３】
コントローラ１１は、ＣＰＵ（Central Processing Unit）１１１、ＲＡＭ（Random Access Memory）１１２、ＲＯＭ（Read Only Memory）１１３、ＨＤＤ（Hard Disk Drive）１１４、及びＮＶＲＡＭ（Non Volatile RAM）１１５等を有する。
【００１４】
ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。
【００１５】
ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００１６】
スキャナ１２は、原稿より画像データを読み取るためのハードウェアである。プリンタ１３は、印刷データを印刷用紙に印刷するためのハードウェアである。モデム１４は、電話回線に接続するためのハードウェアであり、ＦＡＸ通信による画像データの送受信を実行するために用いられる。
【００１７】
操作パネル１５は、ユーザからの入力の受け付けを行うためのボタン等の入力手段や、液晶パネル等の表示手段等を備えたハードウェアである。ネットワークインタフェース１６は、ＬＡＮ等のネットワーク（有線又は無線の別は問わない）に接続するためのハードウェアである。
【００１８】
ＳＤカードスロット１７は、ＳＤカード８０に記憶されたプログラムを読み取るために利用される。すなわち、画像処理装置１０では、ＲＯＭ１１３に記憶されたプログラムだけでなく、ＳＤカード８０に記憶されたプログラムもＲＡＭ１１２にロードされ、実行されうる。
【００１９】
なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００２０】
＜機能＞
次に、画像処理装置１０の機能について説明する。図２は、実施例における画像処理装置１０の機能の一例を示すブロック図である。画像処理装置１０は、表示制御手段２０１、読取制御手段２０２、画像生成手段２０３、画面生成手段２０４、設定情報記憶手段２０５、及び画面情報記憶手段２０６を有する。
【００２１】
表示制御手段２０１、読取制御手段２０２、画像生成手段２０３、及び画面生成手段２０４は、例えばＣＰＵ１１１及びワークメモリとしてのＲＡＭ１１２などにより実現され、設定情報記憶手段２０５及び画面情報記憶手段２０６は、例えばＲＯＭ１１３又はＨＤＤ１１４などにより実現されうる。また、設定情報記憶手段２０５と画面情報記憶手段２０６とは、１つの記憶装置であってもよい。
【００２２】
表示制御手段２０１は、画像処理装置１０で実行される各アプリケーションの操作画面を表示制御する。例えば、表示制御手段２０１は、予め設定（プリセット）されたコピー機能を呼び出すための各ＵＩ部品と、プレビュー画像とを含むコピー画面を表示制御する。ＵＩ部品とは、アイコンや選択可能なボタンなどをいう。
【００２３】
また、表示制御手段２０１は、原稿読み取りの開始を検知した場合、読取制御手段２０２に読み取り開始を通知したり、ユーザにより選択されたＵＩ部品を示す情報を画像生成手段２０３に通知したりする。
【００２４】
また、表示制御手段２０１は、後述するが、画面に対するドラッグ又はフリック操作に応じてプレビュー画像を描画することも可能である。
【００２５】
よって、表示制御手段２０１は、画面を表示する機能と、表示された画面に対するユーザ操作を入力する機能とを有する。図３は、表示制御手段２０１の機能の一例を示すブロック図である。
【００２６】
図３に示す表示制御手段２０１は、入力手段３０１、画面表示手段３０２を有する。入力手段３０１は、表示された画面に対するユーザ操作を入力し、その入力に応じた各リクエストを各手段に出力する。
【００２７】
例えば、入力手段３０１は、原稿の読み取り開始ボタンの押下を検知した場合、読取制御手段２０２に対して読取開始を通知する。また、入力手段３０１は、選択されているＵＩ部品が変更されたことを検知した場合、変更後のＵＩ部品を示す情報を画像生成手段２０３に通知する。
【００２８】
また、入力手段３０１は、コピー画面に、コピーに関する各設定項目が表示される場合、ユーザにより選択された設定項目を示す情報を画像生成手段２０３に通知する。また、入力手段３０１は、画面に対するドラッグ又はフリック操作を入力すると、その操作に応じた要求を画面表示手段３０２に通知する。
【００２９】
画面表示手段３０２は、画面生成手段２０４により生成された画面を表示する。例えば、画面表示手段３０２は、画面生成手段２０４により生成されたコピー画面を取得し、操作パネル１５に表示する。
【００３０】
また、画面表示手段３０２は、コピー画面上でプレビュー画像のページめくり描画などを可能とする。この機能は、例えばスマートフォンや電子書籍を表示する装置などで行われている機能である。
【００３１】
図２に戻り、読取制御手段２０２は、スキャナ１２を制御し、所定位置にセットされた原稿の読み取りを制御し、この原稿から電子画像を生成する。読取制御手段２０２は、生成した電子画像を画像生成手段２０３に出力する。
【００３２】
画像生成手段２０３は、予め設定された所定画像か、読取制御手段２０２から取得した電子画像に対して、プレビュー画像を生成する。画像生成手段２０３は、原稿の読み取り前であれば、所定画像を用いてプレビュー画像を生成し、原稿の読み取り後であれば、電子画像を用いてプレビュー画像を生成する。所定画像は、汎用な画像であれば何れの画像を用いてもよい。
【００３３】
画像生成手段２０３は、表示制御手段２０１から通知されたＵＩ部品の情報が示すＵＩ部品、つまり、ユーザにより画面内の所定位置にくるように選択されたＵＩ部品から呼び出される機能を用いてプレビュー画像を生成する。例えば、表示制御手段２０１から両面コピーのＵＩ部品を示す情報を取得した場合、両面のプレビュー画像を生成する。
【００３４】
画像生成手段２０３は、ＵＩ部品に対応する各設定値は、設定情報記憶手段２０５から取得する。また、画像生成手段２０３は、カスタマイズ用の設定項目の設定値を設定情報記憶手段２０５から取得することもできる。画像生成手段２０３は、設定情報記憶手段２０５から取得した各設定値に基づいてプレビュー画像を生成する。画像生成手段２０３は、生成したプレビュー画像を画面生成手段２０４に出力する。
【００３５】
画面生成手段２０４は、コピー画面を生成する際、画面情報記憶手段２０６からコピー画面の画面情報を取得し、この画面情報に基づいてコピー画面を生成する。コピー画面は、プリセットされたコピー機能を呼び出すための各ＵＩ部品と、画像生成手段２０３により生成されたプレビュー画像とを含む。画面生成手段２０４は、生成したコピー画面を表示制御手段２０１に出力する。
【００３６】
設定情報記憶手段２０５は、プリセットされたコピー機能を示すコピー機能情報と、コピーに関する各設定項目の設定値を有するカスタム情報とを記憶する。プリセットされたコピー機能は、コピーに関する各設定項目の設定値の少なくとも１つ以上の組み合わせである。なお、プリセットされたコピー機能は、ユーザにより追加可能とする。
【００３７】
画面情報記憶手段２０６は、コピー画面の画面情報を記憶する。画面情報は、プレビュー画像の配置やＵＩ部品の配置を示す情報であり、コピー画面のレイアウトを示す情報でもある。また、画面情報記憶手段２０６は、ＵＩ部品がアイコンである場合、各アイコン画像を含むアイコン画像情報を記憶する。
【００３８】
＜データ構造＞
次に、本実施例で用いられる各種情報のデータ構造について説明する。画面情報記憶手段２０６は、コピー画面の画面情報、アイコン画像情報などを記憶する。
【００３９】
図４は、コピー画面の画面情報の一例を示す図である。図４に示す画面情報は、プレビュー画像、プリセット機能、カスタム設定に対して、各ＩＤ及び表示フラグが関連付けられている。例えば、プレビュー画像には、ＩＤ「ＩＭ００１」が関連付けられ、プリセット機能には、ＩＤ「ＰＳ００１」、「ＰＳ００２」などが関連付けられ、カスタム設定には、ＩＤ「ＣＳ００１」、「ＣＳ００２」などが関連付けられる。なお、表示フラグは、画面に表示される場合は「１」、画面外にある場合は「０」を示す。
【００４０】
なお、後述するが、各ＵＩ部品を円周上に表示する場合は、プリセット機能に対するＩＤを、例えばリング状の配列に保存し、ホーム位置（所定位置）にあるＩＤを特定して、ホーム位置のＩＤから左右に所定数のＵＩ部品がコピー画面に表示されるようにしてもよい。
【００４１】
図５は、アイコン画像情報の一例を示す図である。図５に示すアイコン画像情報は、アイコンのＩＤと、コピー機能を表すアイコン画像とが関連付けられている。画面生成手段２０４は、図５に示すアイコン画像情報から、表示対象のＩＤに対応するアイコン画像を取得することができる。
【００４２】
図６は、プリセットされたコピー機能情報の一例を示す図である。図６に示すコピー機能情報は、コピー機能のＩＤと、そのコピー機能の設定内容とが関連付けられる。設定内容は、カスタムＩＤの組み合わせである。例えば、コピー機能「ＰＳ００１」は、カスタムのＩＤ「ＣＳ００２」、「ＣＳ０１１」の組み合わせである。
【００４３】
図７は、カスタム情報の一例を示す図である。図７に示すカスタム情報は、カスタムのＩＤと、カスタム内容とが関連付けられる。例えば、ＩＤ「ＣＳ００１」は、「白黒」を表し、ＩＤ「ＣＳ００２」は、「カラー」を表し、ＩＤ「ＣＳ００３」は、「変倍」を表す。
【００４４】
＜コピー画面の変化の概要＞
図８は、コピー画面の変化の概要を説明するための図である。図８に示す画面ｄ１１は、コピー画面の初期画面を示す。初期画面ｄ１１の領域ａｒ１１には、プリセットされたコピー機能の各ＵＩ部品（例えばアイコン）が表示され、領域ａｒ１２には、プレビュー画像ｐｒ１１が表示される。
【００４５】
初期画面ｄ１１のプレビュー画像ｐｒ１１は、予め設定された所定画像のプレビュー画像である。なお、プレビュー画像ｐｒ１１は、アイコンの拡大画像でもよい。また、このプレビュー画像ｐｒ１１は、コピー機能ｆｃ１１に対応する各設定値でプレビュー画像が生成されている。初期画面ｄ１１は、画面生成手段２０４により生成され、表示制御手段２０１により、操作パネル１５に表示される。
【００４６】
この初期画面ｄ１１の表示中に、原稿を所定位置にセットし、スタートキーｓｔ１１をユーザが押下したとする。このとき、表示制御手段２０１は、読み取り開始を読取制御手段２０２に通知する。
【００４７】
読取制御手段２０２は、原稿を読み取って電子画像を生成し、画像生成手段２０３に出力する。画像生成手段２０３は、電子画像からプレビュー画像を生成する。このとき、コピー機能ｆｃ１１の各設定値を用いてプレビュー画像が生成される。生成されたプレビュー画像は、画面生成手段２０４によりコピー画面に含まれる。表示制御手段２０１は、更新されたコピー画面を操作パネル１５に表示する。
【００４８】
図８に示す画面ｄ１２は、更新後のコピー画面を示す。プレビュー画像ｐｒ１２は、原稿を読み取って生成されたプレビュー画像である。このように、ユーザは、初期画面ｄ１１の状態で、どのコピー機能でどのようなアウトプットになるかを把握することができ、さらに、原稿をセットして少ない操作（例えば１操作）で、実際の原稿のプレビュー画像を把握することができる。よって、ユーザの操作性が向上する。
【００４９】
＜具体例＞
次に、具体的なＵＩを用いて、実施例におけるコピー画面の例について説明する。以降に説明する画面では、円周上に配置された各コピー機能を表すアイコンを左右に回しながらアイコンを選択する例を用いる。また、各アイコンが配置された円をテーブルと呼ぶ。このテーブルの下部が、画面の上部に表示される。画面の下部には、プレビュー画像が表示される。
【００５０】
《基本操作》
図９は、コピー画面からの基本操作に関するコピー画面の一例を示す図である。図９に示す例では、Ｐｏｒｔｒａｔｅの原稿をセットする。この原稿の読み取り前の画面ｄ２１は、テーブルｔｂ２１、所定画像のプレビュー画像ｐｒ２１、読み取り開始ボタンｂｔ２１が表示される。
【００５１】
次に、ユーザは、読み取り開始ボタンｂｔ２１を押下すると、入力手段３０１が検知し、読取制御手段２０２に読取開始を通知する。このとき、図９に示すように、表示制御手段２０１は、読み取り開始を行う前に原稿確認画面を表示してもよい。
【００５２】
原稿確認画面では、片面か、両面（左右ｏｒ上下）か、見開きかを選択可能とする。この原稿確認画面で読み取り開始ボタンが押下されたときに、入力手段３０１は、読み取り制御手段２０２に読み取り開始を通知する。
【００５３】
読取制御手段２０２は原稿を読み取って電子画像を生成する。次に、画像生成手段２０３は、この電子画像のプレビュー画像を生成する。画面作成手段２０４は、生成されたプレビュー画像を含むコピー画面を生成し、コピー画面を更新する。
【００５４】
これにより、読み取った画像のプレビュー画像ｐｒ２２を含むコピー画面ｄ２２が表示される。このプレビュー画像ｐｒ２２は、読み取り前と同じレイアウトで実際に読み取られた画像が表示される。また、テーブルｔｂ２２のアイコンは半輝度状態となり、選択できなくしてもよい。
【００５５】
次に、コピー画面ｄ２２の印刷開始ボタンｂｔ２２が押下されると、表示制御手段２０１はこれを検知し、プリンタ１３を制御してコピーを実行する。また、画面ｄ２３は、現在の設定を、プリセットのコピー機能として登録させる例を示す。
【００５６】
画面ｄ２３に示すように、現在の設定をアイコン登録するとき、テーブルを回して登録する場所を選べるようになっており、指定された位置にドラッグ＆ドロップでアイコン登録できるようになっている。
【００５７】
図９に示すように、プリセットされた各コピー機能とプレビュー画像とが１つの画面に表示され、原稿を読み取った場合に実際に読み取った画像からプレビュー画像が生成される。よって、ユーザは、プリセットされたコピー機能に対するアウトプットを実際の原稿で把握することができ、また、基本的には画面遷移無しにコピー機能の選択、プレビュー表示、印刷実行まで１つの画面で行うことができるので、ユーザの操作性が向上する。
【００５８】
《Ｐｏｒｔｒａｔｅ／ＬａｎｄＳｃａｐｅの設定》
次に、原稿がＰｏｒｔｒａｔｅかＬａｎｄＳｃａｐｅかの選択について説明する。図１０は、Ｐｏｒｔｒａｔｅ／ＬａｎｄＳｃａｐｅの設定における画面変化の一例を示す図である。
【００５９】
図１０に示す例では、画面ｄ２１にＰｏｒｔｒａｔｅ／ＬａｎｄＳｃａｐｅの設定切替ボタンｂｔ２１−１、ｂｔ２１−２が含まれる。このボタン選択を切り替えることで、画面ｄ２１と画面ｄ２６との表示を切り替えることができる。
【００６０】
画面ｄ２６では、用紙をＬａｎｄＳｃａｐｅに切り替えたことで、テーブルｔｂ２６、プレビュー画像ｐｒ２６がＬａｎｄＳｃａｐｅに変更される。
【００６１】
画面ｄ２１の読み取り開始ボタンが押下されると、Ｐｏｒｔｒａｔｅ原稿のプレビュー画像ｐｒ２２を含む画面ｄ２２が表示する。また、画面ｄ２６の読み取り開始ボタンが押下されると、ＬａｎｄＳｃａｐｅ原稿のプレビュー画像ｐｒ２８を含む画面ｄ２８が表示される。つまり、読み取り前と同様のレイアウトで、原稿のプレビュー画像が表示される。
【００６２】
《テーブル操作》
次に、コピー機能の各アイコンを有するテーブル操作について説明する。図１１は、テーブル操作における画面変化の一例を示す図である。
【００６３】
図１１に示す例で、画面ｄ２１のテーブルｔｂ２１を右に１つ分回したとする。このときカーソルｃｕ３１は固定であるため、アイコンが１つ右に移動する。カーソルｃｕ３１内のアイコンに応じて、プレビュー画像ｐｒ３１が変化する。カーソルの位置がホーム位置（所定位置）に対応する。
【００６４】
例えば、カーソルｃｕ３１内のアイコンが、両面、左右開きを示すコピー機能のアイコンであれば、プレビュー画像ｐｒ３１は、所定の画像に対して、両面左右開きを示すプレビュー画像になる。
【００６５】
例えば、表示制御手段２０１は、カーソルｃｕ３１内のアイコンの変化を検知し、カーソルｃｕ３１内にあるアイコンの情報を画像生成手段２０３に通知する。画像生成手段２０３は、通知されたアイコンの情報から設定情報記憶手段２０５を参照して、コピー機能の設定値を取得する。
【００６６】
画像生成手段２０３は、プリセットされた所定画像に対して、取得した設定値でプレビュー画像を生成する。また、画像生成手段２０３は、プレビュー画像としてカーソルｃｕ３１内のアイコンの拡大画像を用いてもよい。
【００６７】
また、その他のテーブル操作として、テーブルを下にドラッグｏｒフリックすることで、テーブルの表示範囲が広くなった画面ｄ３２が表示される。画面ｄ３２は、表示面積が広くなったテーブルｔｂ３２とゴミ箱アイコンｔｒ（単にゴミ箱とも呼ぶ）３２を含む。
【００６８】
テーブルｔｂ３２の中央には、カーソル内にあるアイコンの名称が表示される。アイコンの名称は、装置により自動的に命名される。またテーブルｔｂ３２は、左右に回すことができる。カーソル位置はテーブルに対して固定であるので、テーブルｔｂ３２を回すたびに、アイコンの名称が変化する。
【００６９】
ゴミ箱ｔｒ３２は、テーブルｔｂ３２内のアイコンがドラッグ＆ドロップされることで、そのアイコンをテーブルｔｂ３２上から削除する機能を有する。また、テーブルｔｂ３２内のアイコンの順番を変更することも可能である。上記のテーブル操作は、表示制御手段２０１がユーザ操作を検知し、その操作に応じて画面の描画を変更すればよい。
【００７０】
《プレビュー画像のページ確認（その１）》
次に、プレビュー画像の片面のページ確認について説明する。図１２は、プレビュー画像のページ確認（その１）の操作における画面変化の一例を示す図である。図１２に示す画面ｄ２１、ｄ２２、ｄ２６、ｄ２８は、図１０に示す画面と同様である。
【００７１】
図１２に示す画面ｄ２２のプレビュー画像ｐｒ２２に対し、ユーザが左方向にドラッグｏｒフリック操作を行うと、１枚目が左にめくれ、１枚目の裏と、２枚目の表がプレビュー画像として表示されるようになる。これは、表示制御手段２０１のアニメーション機能により実現可能である。
【００７２】
画面ｄ３５は、１枚目をめくる途中のプレビュー画像ｐｒ３５であり、画面ｄ３６は、１枚目の裏と、２枚目の表とが表示されたプレビュー画像ｐｒ３６である。
【００７３】
ＬａｎｄＳｃａｐｅ画像に対しても、Ｐｏｒｔｒａｔｅ画像と同様の処理が行われる。つまり、画面ｄ３７は、１枚目をめくる途中のプレビュー画像ｐｒ３７を含み、画面ｄ３８は、１枚目の裏と、２枚目の表とが表示されたプレビュー画像ｐｒ３８を含む。なお、図１２に示す例では、片面であるので、１枚目の裏は白紙である。１枚目の表に原稿の１ページ目、２枚目の表に原稿の２ページ目が表示される。
【００７４】
《プレビュー画像のページ確認（その２）》
次に、プレビュー画像の両面左右開きのページ確認について説明する。図１３は、プレビュー画像のページ確認（その２）の操作における画面変化の一例を示す図である。図１３に示す画面ｄ２１、ｄ２２、ｄ２６は、図１０に示す画面と同様である。画面ｄ２７は、ＬａｎｄＳｃａｐｅ画像の両面左右開きの場合のプレビュー画像ｐｒ２７を含む画面である。
【００７５】
図１３に示す例で、画面ｄ２２の読み取り開始ボタンをユーザが押下した場合、画面ｄ４０では、Ｐｏｒｔｒａｔｅ原稿の両面左右開きの場合のプレビュー画像ｐｒ４０が表示される。プレビュー画像ｐｒ４０は、静止している状態でも、両面左右開きであることが分かるようになっている。
【００７６】
図１３に示す画面ｄ４０のプレビュー画像ｐｒ４０に対し、ユーザが左方向にドラッグｏｒフリック操作を行うと、１枚目が左にめくれ、１枚目の裏と、２枚目の表がプレビュー画像として表示されるようになる。これは、表示制御手段２０１のアニメーション機能により実現可能である。
【００７７】
画面ｄ４１は、１枚目をめくる途中のプレビュー画像ｐｒ４１を含み、画面ｄ４２は、１枚目の裏と、２枚目の表とが表示されたプレビュー画像ｐｒ４２を含む。なお、両面印刷のプレビュー画像であるので、１枚目の裏に、原稿の２ページ目が表示され、２枚目の表に、原稿の３ページ目が表示される。
【００７８】
図１３に示す例で、画面ｄ２７の読み取り開始ボタンをユーザが押下した場合、画面ｄ４３では、ＬａｎｄＳｃａｐｅ原稿の両面左右開きの場合のプレビュー画像ｐｒ４３が表示される。プレビュー画像ｐｒ４３は、静止している状態でも、両面左右開きであることが分かるようになっている。
【００７９】
図１３に示す画面ｄ４３のプレビュー画像ｐｒ４３に対し、ユーザが左方向にドラッグｏｒフリック操作を行うと、１枚目が左にめくれ、１枚目の裏と、２枚目の表がプレビュー画像として表示されるようになる。これは、表示制御手段２０１のアニメーション機能により実現可能である。
【００８０】
画面ｄ４４は、１枚目をめくる途中のプレビュー画像ｐｒ４４を含み、画面ｄ４５は、１枚目の裏と、２枚目の表とが表示されたプレビュー画像ｐｒ４５を含む。なお、両面印刷のプレビュー画像であるので、１枚目の裏に、原稿の２ページ目が表示され、２枚目の表に、原稿の３ページ目が表示される。
【００８１】
《プレビュー画像のページ確認（その３）》
次に、プレビュー画像の両面上下開きのページ確認について説明する。図１４は、プレビュー画像のページ確認（その３）の操作における画面変化の一例を示す図である。図１４に示す画面ｄ５０は、プリセットされたＰｏｒｔｒａｔｅの所定画像に対し、両面上下開きのプレビュー画像ｐｒ５０を含む画面である。
【００８２】
図１４に示す例で、画面ｄ５０の読み取り開始ボタンをユーザが押下した場合、画面ｄ５１では、Ｐｏｒｔｒａｔｅ原稿の両面上下開きの場合のプレビュー画像ｐｒ５１が表示される。プレビュー画像ｐｒ５１は、静止している状態でも、両面上下開きであることが分かるようになっている。
【００８３】
図１４に示す画面ｄ５１のプレビュー画像ｐｒ５１に対し、ユーザが上方向にドラッグｏｒフリック操作を行うと、１枚目が上にめくれ、１枚目の裏と、２枚目の表がプレビュー画像として表示されるようになる。これは、表示制御手段２０１のアニメーション機能により実現可能である。
【００８４】
画面ｄ５２は、１枚目をめくる途中のプレビュー画像ｐｒ５２を含み、画面ｄ５３は、１枚目の裏と、２枚目の表とが表示されたプレビュー画像ｐｒ５３を含む。なお、両面印刷であるので、１枚目の裏に、原稿の２ページ目が表示され、２枚目の表に、原稿の３ページ目が表示される。
【００８５】
図１４に示す画面ｄ５４は、プリセットされたＬａｎｄＳｃａｐｅの所定画像に対し、両面上下開きのプレビュー画像ｐｒ５４を含む画面である。
【００８６】
図１４に示す例で、画面ｄ５４の読み取り開始ボタンをユーザが押下した場合、画面ｄ５５では、ＬａｎｄＳｃａｐｅ原稿の両面上下開きの場合のプレビュー画像ｐｒ５５が表示される。プレビュー画像ｐｒ５５は、静止している状態でも、両面上下開きであることが分かるようになっている。
【００８７】
図１４に示す画面ｄ５５のプレビュー画像ｐｒ５５に対し、ユーザが上方向にドラッグｏｒフリック操作を行うと、１枚目が上にめくれ、１枚目の裏と、２枚目の表がプレビュー画像として表示されるようになる。これは、表示制御手段２０１のアニメーション機能により実現可能である。
【００８８】
画面ｄ５６は、１枚目をめくる途中のプレビュー画像ｐｒ５６を含み、画面ｄ５７は、１枚目の裏と、２枚目の表とが表示されたプレビュー画像ｐｒ５７を含む。なお、両面印刷であるので、１枚目の裏に、原稿の２ページ目が表示され、２枚目の表に、原稿の３ページ目が表示される。
【００８９】
《カスタム設定》
次に、カスタム設定について説明する。図１５は、カスタム設定の基本操作における画面変化の一例を示す図である。図１５に示す例では、画面ｄ２１の下部を上にドラッグｏｒフリック操作をユーザが行うことで、カスタム用のアイコンが画面の下部に表示されるようになっている。
【００９０】
図１５に示す画面ｄ５０は、下部にカスタム用のアイコンを表示する領域ａｒ５０を含む画面である。画面ｄ５０内のプレビュー画像ｐｒ５０は、カスタム用のアイコンを表示する領域ａｒ５０が表示されるため、通常のプレビュー画像ｐｒ２１よりも縮小される。
【００９１】
画面ｄ５０の領域ａｒ５０を含む画面の下部を下にドラッグｏｒフリック操作をユーザが行うことで、画面ｄ２１に戻る。
【００９２】
例えば、表示制御手段２０１がカスタムアイコンの表示操作を検知すると、画面生成手段２０４にその旨を通知する。画面生成手段２０４は、カスタムアイコンの表示要求を受けると、画面情報からカスタム設定のＩＤを取得し、そのＩＤに対応するアイコンを画面下部に含める。表示制御手段２０１は、画面生成手段２０４により更新された画面（例えば画面ｄ５０）を表示制御する。
【００９３】
次に、カスタム設定におけるカラー変更について説明する。図１６は、カスタム設定におけるカラー変更した場合の画面変化の一例を示す図である。図１６に示す例では、画面ｄ５０内にある、カスタム設定のカラー設定アイコンｉｃ５０が選択されたとする。
【００９４】
このとき、画面ｄ５１では、領域ａｒ５１において、カラー以外のアイコンが左又は右に縮小してスライド移動され、カラー選択用のアイコンが表示される。ここで、アイコンｉｃ５１が押下されると、画面ｄ５１は、アイコンｉｃ５１に対応するカラーのプレビュー画像ｐｒ５２が表示される画面ｄ５２に変化する。
【００９５】
また、画面ｄ５２の状態で、アイコンｉｃ５２が押下されると、画面ｄ５２は、アイコンｉｃ５２に対応するカラーのプレビュー画像ｐｒ５３が表示される画面ｄ５３に変化する。これは、表示制御手段２０１により、ユーザ操作を受け付けて、画像生成手段２０３により、操作されたアイコンに対応するカスタム設定でプレビュー画像を変更することで実現されうる。なお、表示制御手段２０１が、ユーザ操作されたカスタム設定を認識し、プレビュー画像のＲＧＢ値を変更するようにしてもよい。
【００９６】
これにより、プレビュー画像のカラーが、カラー設定のアイコンをユーザが選択する度に、選択されたアイコンに対応して変化するため、ユーザは、カラー設定のアイコンの内容を容易に把握することができる。
【００９７】
次に、カスタム設定における濃度変更について説明する。図１７は、カスタム設定における濃度変更した場合の画面変化の一例を示す図である。図１７に示す例では、画面ｄ５０内にある、カスタム設定の濃度設定アイコンｉｃ５４が選択されたとする。
【００９８】
このとき、画面ｄ５４内の、カスタム設定の領域ａｒ５４には濃度ノッチが表示される。この濃度ノッチをタップ又はドラッグで所定の濃度に設定できる。プレビュー画像ｐｒ５４は、設定された所定の濃度で表示される。濃度は、ＲＧＢの値や輝度値を調整することで変更可能である。
【００９９】
これにより、ユーザは、プレビュー画像ｐｒ５４を見ながら、濃度を変更することができるため、ユーザは、濃度変更によるアウトプットを容易に把握することができる。
【０１００】
次に、カスタム設定における変倍について説明する。図１８は、カスタム設定における倍率を変更した場合の画面変化の一例を示す図である。図１８に示す例では、画面ｄ５０内にある、変倍アイコンｉｃ５５が選択されたとする。
【０１０１】
このとき、画面ｄ５５内の、カスタム設定の領域ａｒ５５には、倍率を変更するためのアイコンｉｃ５６などが表示される。アイコンｉｃ５６を用いて倍率を設定すれば、プレビュー画像ｐｒ５６の倍率が変更される。図１８に示す例では、倍率が１００％から７１％に変更されるため、プレビュー画像ｐｒ５６は７１％相当のサイズに縮小される。
【０１０２】
また、画面ｄ５６の状態から、用紙指定変倍アイコンｉｃ５７が選択された場合、用紙指定変倍のポップアップがウィザード形式で画面ｄ５７に表示される。
【０１０３】
これにより、ユーザは、プレビュー画像を見ながら用紙変倍を行うことができるため、用紙変倍時の影響を容易に把握することができる。
【０１０４】
表示制御手段２０１は、カスタム設定のアイコンが選択された場合、そのアイコンを示す情報を画像生成手段２０３に出力する。画像生成手段２０３は、取得したアイコンを示す情報を取得すると、そのアイコンに対応する設定値を例えば設定情報記憶手段２０５から取得する。画像生成手段２０３は、取得した設定値を用いてプレビュー画像を生成し、画面生成手段２０４に出力する。
【０１０５】
なお、カラー、変倍、濃度などのカスタム設定については、表示制御手段２０１がプレビュー画像の変更処理を行うようにしてもよい。
【０１０６】
＜動作＞
次に、画像処理装置１０の動作について説明する。図１９は、実施例におけるプレビュー画像を含む画面の表示処理の一例を示すフローチャートである。図１９に示すステップＳ１０１で、画面生成手段２０４は、画面のアイコンのレイアウトなどを示す画面情報に基づいて初期画面を生成する（画面ｄ２１など）。
【０１０７】
ステップＳ１０２で、表示制御手段２０１（画面表示手段３０２）は、画面生成手段２０４により生成された画面を操作パネル１５に表示する。
【０１０８】
ステップＳ１０３で、表示制御手段２０１（入力手段３０１）は、読み取り開始ボタンの押下を検知する。読み取り開始ボタンの押下が検知されれば（ステップＳ１０３−ＹＥＳ）ステップＳ１０４に進み、読み取り開始ボタンの押下が検知されなければ（ステップＳ１０３−ＮＯ）ステップＳ１０３に戻る。
【０１０９】
ステップＳ１０４で、読取制御手段２０２は、原稿の読み取りを指示されると、原稿を読み取って、電子画像を生成する。
【０１１０】
ステップＳ１０５で、画像生成手段２０３は、読取制御手段２０２から電子画像を取得し、所定位置にあるアイコンのコピー機能の設定値を用いて、プレビュー画像を生成する。
【０１１１】
ステップＳ１０６で、画面生成手段２０４は、画像生成手段２０３により生成されたプレビュー画像を画面に含めて、画面の更新を行う。
【０１１２】
ステップＳ１０７で、表示制御手段２０１は、画面生成手段２０４により更新された画面を取得して操作パネル１５に表示する。
【０１１３】
以上、実施例によれば、プレビュー画像を表示するためのユーザ操作を不要とし、また、コピー画面からプレビュー画面への画面遷移を不要とするため、機能設定とプレビュー表示とに対して、ユーザの操作性を向上させることができる。
【０１１４】
［変形例］
実施例の画像処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１１５】
また、実施例の画像処理装置で実行されるプログラムを、インターネット等のネットワークに接続されたコンピュータ上に格納し、ネットワーク経由でダウンロードさせることにより提供するように構成してもよい。また、実施例の画像処理装置で実行されるプログラムをインターネット等のネットワーク経由で提供または配布するように構成してもよい。
【０１１６】
また、実施例の画像処理装置で実行されるプログラムを、ＲＯＭ等に予め組み込んで提供するように構成してもよい。
【０１１７】
実施例の画像処理装置で実行されるプログラムは、前述した各手段を含むモジュール構成となっており、実際のハードウェアとしてはＣＰＵ１１１がＨＤＤ１１４からプログラムを読み出して実行することにより上記各手段のうち１又は複数の各手段がＲＡＭ１１２上にロードされ、１又は複数の各手段がＲＡＭ１１２上に生成されるようになっている。
【０１１８】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。
【符号の説明】
【０１１９】
１０  画像処理装置
１１  コントローラ
１２  スキャナ
１３  プリンタ
１４  モデム
１５  操作パネル
１１１  ＣＰＵ
１１２  ＲＡＭ
１１３  ＲＯＭ
１１４  ＨＤＤ
１１５  ＮＶＲＡＭ
２０１  表示制御手段
２０２  読取制御手段
２０３  画像生成手段
２０４  画面生成手段
２０５  設定情報記憶手段
２０６  画面情報記憶手段
３０１  入力手段
３０２  画面表示手段
【先行技術文献】
【特許文献】
【０１２０】
【特許文献１】特開２０１１−１２４８４１号公報
【図１】
0005938893.tif 000002
【図２】
0005938893.tif 000003
【図３】
0005938893.tif 000004
【図４】
0005938893.tif 000005
【図５】
0005938893.tif 000006
【図６】
0005938893.tif 000007
【図７】
0005938893.tif 000008
【図１９】
0005938893.tif 000009
【図８】
0005938893.tif 000010
【図９】
0005938893.tif 000011
【図１０】
0005938893.tif 000012
【図１１】
0005938893.tif 000013
【図１２】
0005938893.tif 000014
【図１３】
0005938893.tif 000015
【図１４】
0005938893.tif 000016
【図１５】
0005938893.tif 000017
【図１６】
0005938893.tif 000018
【図１７】
0005938893.tif 000019
【図１８】
0005938893.tif 000020